(57)【特許請求の範囲】
【請求項１】
地中の排水管路に接続され上方に延出された掃除管の上端開口部に取付けられる掃除口用蓋であって、
枠状の蓋枠と、
該蓋枠内に着脱可能に嵌込まれ、上下方向に貫通する貫通孔が中央に設けられた蓋本体と、
該蓋本体の前記貫通孔に挿入され上限位置及び下限位置の間で上下方向に移動可能に支持されるとともに、上端近傍に開口した上側通気口、下面に開口した下側通気口、及び前記上側通気口と前記下側通気口とを連通する連通孔、が内部に形成された可動空気抜き部材と、
該可動空気抜き部材を少なくとも前記上限位置及び前記下限位置で支持する支持部材と
を具備し、
前記可動空気抜き部材は、
可動位置に拘わらず前記上側通気口が前記蓋本体よりも上方に位置するように配置され、
前記上側通気口の下側の外周面から径方向外側に前記貫通孔よりも大きく張出している張出部をさらに備えることを特徴とする排水管路における掃除口用蓋。
【請求項２】
前記張出部は、
上面が外側に向かって下り勾配に形成された傘形状とされていることを特徴とする請求項１に記載の排水管路における掃除口用蓋。
【請求項３】
前記支持部材は、
前記可動空気抜き部材を保持するものであることを特徴とする請求項１又は請求項２に記載の排水管路における掃除口用蓋。
【発明の詳細な説明】
【技術分野】
【０００１】
本発明は、排水管路における掃除口用蓋に関し、特に、排水管路に接続された掃除管の開口を閉鎖する掃除口用蓋に関するものである。
【背景技術】
【０００２】
図４（ａ）に示すように、水を排出する住宅内の各設備５０（例えば流し台、及び浴槽）に接続された排水管路５１（枝管）には、Ｓ字形のトラップ５２が設けられており、排水管路５１内の臭気が設備５０側に逆流しないように構成されている。また、各排水管路５１と地中に埋設された排水本管（図示しない）との接続箇所には、排水枡５４が設置されているが、この排水枡５４には、排水本管から屋内（排水管路５１側）に臭気が流込まないようにＵ字形のトラップ５５が設けられる場合がある。なお、排水枡５４のトラップ５５には掃除管５６が接続されており、掃除管５６は、地表面まで延出されるとともに上端開口が掃除口用蓋５７によって閉鎖されている。
【０００３】
ところで、屋内の設備５０、及び屋外の排水枡５４に、それぞれトラップ５２，５５が設けられた場合、いわゆる二重トラップとなり、両トラップ５２，５５間に空気が封止された状態となる。このため、建物内の設備５０から水が排出されると、両トラップ５２，５５間の空気が圧縮され、排水枡５４側のトラップ５５による封水が破壊されたり、排水が流れ難くなったりするという問題が生じていた。また、水が流出した後は、両トラップ５２，５５間の排水管路５１が負圧となることから、屋内のトラップ５２による封水が破壊されたり、負圧に起因する異音が発生したりするという問題も生じていた。
【０００４】
なお、掃除口用蓋５７に通気孔を設けるようにすれば、両トラップ５２，５５間の空気圧の変動を抑制することが可能になるが、これによれば、通気孔を通して排水管路５１と地表面Ａとが連通することから、地表面Ａの雨水が掃除管５６を通して排水枡５４に流入し、ひいては下水として処理すべき水量が増加することとなる。
【０００５】
そこで、例えば図４（ｂ）（特許文献１参照）に示すように、通気孔から雨水が流入することを抑制できる空気抜き装置６１が提案されている。詳しく説明すると、掃除口用蓋６０の蓋体６２に上下方向に貫通する嵌挿孔６３を設けるとともに、内部にＴ字形の通気路６４を有する空気抜き体６５を、嵌挿孔６３を通して配設したものである。特に空気抜き体６５は、偏平状の本体部６６と、本体部６６の中心から下方に突設する筒状の空気通路管部６７とを備えて構成されており、本体部６６の通気路６４を、周面に向かって下方に傾斜させることで雨水が通気路６４に流入することを抑制している。
【発明の概要】
【発明が解決しようとする課題】
【０００６】
しかし、上記の掃除口用蓋６０によれば、地表面Ａから突出する空気抜き体６５の本体部６６は偏平な形状であり、しかも本体部６６の通気路６４は周面に開口しているため、通気路６４を越える高さまで冠水する可能性が高く、冠水した際には通気路６４内に雨水が大量に流入するという欠点を有していた。なお、本体部６６の高さを大きくし通気路６４の位置を高くすれば、雨水が流入する可能性を低くすることができるが、このように構成すると、本体部６６が地表面Ａから大きく突出し、歩行者が躓きやすくなるという新たな問題が生じる。
【０００７】
そこで、本発明は、上記の実状に鑑み、歩行者の安全性を高めるとともに、大雨の場合でも雨水の流入を効果的に防止できる排水管路における掃除口用蓋を提供することを課題とするものである。
【課題を解決するための手段】
【０００８】
本発明の排水管路における掃除口用蓋は、
「地中の排水管路に接続され上方に延出された掃除管の上端開口部に取付けられる掃除口用蓋であって、
枠状の蓋枠と、
該蓋枠内に着脱可能に嵌込まれ、上下方向に貫通する貫通孔が中央に設けられた蓋本体と、
該蓋本体の前記貫通孔に挿入され上限位置及び下限位置の間で上下方向に移動可能に支持されるとともに、上端近傍に開口した上側通気口、下面に開口した下側通気口、及び前記上側通気口と前記下側通気口とを連通する連通孔、が内部に形成された可動空気抜き部材と、
該可動空気抜き部材を少なくとも前記上限位置及び前記下限位置で支持する支持部材と
を具備し、
前記可動空気抜き部材は、
可動位置に拘わらず前記上側通気口が前記蓋本体よりも上方に位置するように配置され、
前記上側通気口の下側の外周面から径方向外側に前記貫通孔よりも大きく張出している張出部をさらに備える」
ことを特徴とするものである。
また、本発明の排水管路における掃除口用蓋において、
「前記張出部は、
上面が外側に向かって下り勾配に形成された傘形状とされている」
ことを特徴とするものである。
更に、本発明の排水管路における掃除口用蓋において、
「前記支持部材は、
前記可動空気抜き部材を保持するものである」ことを特徴とするものである。
【０００９】
ここで、「排水管路」には、排水枡に接続されたＵ字形のトラップが含まれる。また、「蓋本体」は、上面の高さを蓋枠の上面の高さに一致させることが好ましい。また、「可動空気抜き部材」には、移動範囲を上限位置と下限位置との間に規制するためのストッパーを備えることが好ましい。なお、「貫通孔に挿入」には、貫通孔に直接挿入される場合、または貫通孔に筒状のスリーブを備え、そのスリーブ内に挿入される場合が含まれる。また、「支持部材」としては、蓋本体の貫通孔と可動空気抜き部材との間に介装された環状のパッキン（Ｏリング等）を挙げることができる。なお、この場合、「パッキン」は、蓋本体の貫通孔の内周面（スリーブを備えるものはスリーブの内周面）に取付けられ可動空気抜き部材の外周面に対して摺接するように配置してもよく、可動空気抜き部材の外周面（上側通気口の部分を除く）に取付けられ、貫通孔の内周面（またはスリーブの内周面）に対して摺接するように配置してもよい。また、上側通気口は、雨水が流入しないような向きに開口していればよく、水平方向、外側に向かって下り勾配、及び下向き、のいずれの方向に開口していてもよい。なお、上側通気口が形成される「上端近傍」としては、水平方向へ向かって開口可能な可動空気抜き部材の外周面上端が好ましいが、上端よりも２〜３ｍｍ低い位置としてもよい。
【００１０】
本発明の掃除口用蓋によれば、蓋枠に嵌込まれた蓋本体には、中央に貫通孔が設けられ、この貫通孔内に、可動空気抜き部材が挿入されている。可動空気抜き部材には、上端近傍に開口した上側通気口と、下面に開口した下側通気口と、上側通気口及び下側通気口を連通する連通孔とが形成されている。このため、上側通気口が蓋本体の上面よりも突出した状態では、掃除管の内部空間が、下側通気口、連通孔、及び上側通気口を通して掃除管の外部（すなわち地上部分）に連通し、排水管路内における空気圧の変動を抑制することができる。
【００１１】
また、可動空気抜き部材は、上限位置と下限位置との間で上下方向に移動可能に支持されている。可動空気抜き部材を下限位置に移動させると、可動空気抜き部材の地表面からの突出量を小さく抑えることができ、ひいては歩行者が可動空気抜き部材に躓くことを極力防止することが可能になる。なお、この場合、上側通気口の高さが低くなるが、上側通気口を略水平方向または下向きに開口させることにより、雨が降っていない場合は勿論、雨が降っていても冠水に至っていない場合（すなわち通常の使用状態）には、雨水の流入を防止することができる。一方、大雨等により、上側通気口の高さよりも高い位置まで冠水する虞がある場合には、可動空気抜き部材を上方に移動させればよい。これによれば、上側通気口の位置が高くなり、上側通気口に雨水が流入する可能性を大幅に低くすることができる。
【００１２】
また、支持部材を備えているため、可動空気抜き部材を上限位置または下限位置で保持することが可能となる。なお、支持部材として環状のパッキンを介装した場合には、貫通孔の内周面（スリーブを備える場合にはその内周面）と可動空気抜き部材の外周面との間の水密性を高め、可動空気抜き部材の周りから掃除管の内部に雨水が浸入することを阻止できるとともに、可動空気抜き部材の摺動抵抗を高めることが可能となる。
【００１４】
本発明の排水管路における掃除口用蓋によれば、可動空気抜き部材は、下限位置に移動した場合でも、上側通気口が蓋本体よりも上方に位置するように配置される。このため、水平方向に開口した上側通気口に土等が入り込むことを抑制できるとともに、可動空気抜き部材の上端部分を摘んだり工具を引っ掛けたりすることが可能となり、可動空気抜き部材の引上操作が容易になる。なお、この際、可動空気抜き部材は、常に蓋本体の上面から突出した状態で配置されることとなるが、下限位置における可動空気抜き部材の位置を最小限の高さに設定することで、歩行者の躓きを抑制することが可能となる。
【００１５】
また、可動空気抜き部材における上側通気口の下側には、径方向外側に張出した張出部が設けられている。このため、下限位置では、貫通孔の周囲を覆うように、張出部の下面と蓋本体の上面とが接した状態となり、ひいては貫通孔側への雨水の浸入を防ぐとともに、通常の使用位置である下限位置において可動空気抜き部材を安定して支持することができる。さらに、上側から見て可動空気抜き部材の外形を大きく見せることができ、可動空気抜き部材の存在及びその状態を容易に認識させることができる。
【００１６】
また、張出部の上面は外側に向かって下り勾配に形成されているため、可動空気抜き部材の上面に降った雨水を外側に向かって案内し、上側通気口に対する雨水の流入を一層効果的に防止することができる。また、可動空気抜き部材の外縁部分が薄くなるため、歩行者の躓きを一層抑制することが可能になる。
【発明の効果】
【００１９】
このように、本発明によれば、通常の使用状態では、可動空気抜き部材を下限位置に移動させることで、可動空気抜き部材の突出量を小さく抑えることができ、歩行者が可動空気抜き部材に躓くことを極力防止することができる。また、大雨等により、下限位置における上側通気口の高さよりも高い位置まで冠水する虞がある場合には、可動空気抜き部材を上方に移動させることにより、上側通気口の位置を高くし、上側通気口に雨水が流入する可能性を大幅に低減させることができる。
【図面の簡単な説明】
【００２０】
【図１】本実施形態の掃除口用蓋の構成を示す分解斜視図である。
【図２】掃除口用蓋の構成、及び可動空気抜き部材の動作を示す断面図である。
【図３】他の例の掃除口用蓋の構成、及び可動空気抜き部材の動作を示す断面図である。
【図４】（ａ）は排水システムの全体構成を示す概念図であり、（ｂ）は従来の掃除口用蓋を示す断面図である。
【発明を実施するための形態】
【００２１】
以下、本発明の第一実施形態である掃除口用蓋について、図１及び図２に基づき説明する。掃除口用蓋１は、掃除管５６（図４（ａ）参照）の上端開口部５６ａに取付けられるものであり、掃除管５６の上端開口部５６ａに固定される蓋枠２と、蓋枠２内に着脱可能に嵌込まれるとともに中央に貫通孔１４が設けられた蓋本体３と、貫通孔１４に嵌挿されて接着された略円筒状のスリーブ４と、スリーブ４の貫通孔１７に挿入され掃除管５６の内部空間を地上部分に連通することで、掃除管５６内の圧力変動を抑制する可動空気抜き部材５と、スリーブ４の貫通孔１７及び可動空気抜き部材５の間に介装されたパッキン６と、を備えて構成されている。以下、各構成について詳細に説明する。
【００２２】
蓋枠２は、略円筒状の形状を呈した合成樹脂製の部材であり、その上部側には、外側に向かって張出した肉厚部８が形成されている。また、蓋枠２の内周面上端には、蓋本体３の円板部１１（後述する）を収容した状態で支持する環状溝部９が形成されている。なお、蓋枠２は、上面の高さが地表面Ａ（図４（ａ）参照）に一致するように取付けられる。
【００２３】
蓋本体３は、蓋枠２と同様、合成樹脂製であり、円板形状の円板部１１と、円板部１１の底面から下方に垂設された略円筒状の垂下筒部１２とを備えている。なお、円板部１１の厚みは、蓋枠２における環状溝部９の深さに等しく、蓋本体３が蓋枠２の環状溝部９に嵌込まれた際、蓋枠２の上面の高さが蓋本体３の上面の高さに一致するようになっている。また、蓋本体３の上面１６における外周縁には、互いに対向する位置に一対の切欠部１５が形成されており、ドライバー等の工具を切欠部１５に差込むことで、蓋本体３を蓋枠２から取外すことが可能になっている。また、蓋本体３の中心には上下方向に貫通する貫通孔１４が設けられている。
【００２４】
スリーブ４は、内部に貫通孔１７を有する円筒形の部材であり、上端に鍔状の掛止部１８が形成されている。また、スリーブ４の上部内周面には中心に向かって突設した円環状の突起部１９が形成されている。
【００２５】
可動空気抜き部材５は、合成樹脂製であり、蓋本体３を貫通するように、スリーブ４の貫通孔１７に挿入され、下限位置（図２（ａ）参照）と上限位置（図２（ｂ）参照）との間で上下方向に移動可能に支持されている。この可動空気抜き部材５は、略円柱状の軸部２０を備えており、軸部２０の上端近傍には水平方向に開口した一対の上側通気口２３が形成され、軸部２０の下面には下向きに開口した下側通気口２４が形成され、軸部２０の内部には上側通気口２３と下側通気口２４とを連通する連通孔２５が形成されている。つまり、軸部２０には、略Ｔ字形の通路が形成されており、蓋本体３の上側と下側とが連通するように構成されている。
【００２６】
また、上側通気口２３の下側の軸部２０には、傘状の張出部２１が径方向外側に張出して設けられている。張出部２１の直径は貫通孔１７の内径よりも大きくなっており、可動空気抜き部材５の下限位置を規制する上側ストッパーとして作用している。また、張出部２１の上面は外側に向かって下り勾配に形成され、張出部２１の上面に降った雨水が外側に向かって案内されるようになっている。
【００２７】
また、軸部２０の下端部分には、フランジ状の下部ストッパー２２が形成されている。下部ストッパー２２の直径は、スリーブ４の貫通孔１７の内径と略等しくなっており、可動空気抜き部材５を上方に移動させた際に、スリーブ４における突起部１９の底面に当接する（正確にはパッキン６を介して接触）ことで、上限位置を規制するようになっている。
【００２８】
ところで、可動空気抜き部材５の張出部２１はスリーブ４の貫通孔１７よりも大きく形成され、可動空気抜き部材５の下部ストッパー２２は突起部１９の内径よりも大きく形成されているため、仮に可動空気抜き部材５を一体成形したものでは、貫通孔１７に嵌挿させることができなくなる。そこで本例の可動空気抜き部材５は、張出部２１よりも上側の上側部品５ａと、その下側に位置する円筒状の下側部品５ｂとに分割されており、ネジ部２６によって螺合される構成となっている。
【００２９】
パッキン６は、Ｏリングからなり、可動空気抜き部材５における軸部２０の外周面（特に下部ストッパー２２の真上）に装着されるとともに、スリーブ４における貫通孔１７の内周面に摺接した状態で設けられている。これにより、貫通孔１７の内周面と軸部２０の外周面との間の水密性が高められ、軸部２０の周りから蓋本体３の内部に雨水が浸入することが阻止されるようになっている。また、パッキン６を介装することにより、スリーブ４の貫通孔１７に対する可動空気抜き部材５の摺動抵抗が高められ、可動空気抜き部材５を任意の高さで保持することが可能となっている。
【００３０】
次に、本実施形態の掃除口用蓋１の作用について説明する。スリーブ４に嵌挿された可動空気抜き部材５には、上端近傍において水平方向に開口した上側通気口２３と、下面において下向きに開口した下側通気口２４と、上側通気口２３及び下側通気口２４を連通する連通孔２５とが形成されているため、掃除管５６の内部空間が外部に連通し、排水管路５１内における空気圧の変動が抑制される。また、上側通気口２３は、下限位置に移動した場合でも蓋本体３よりも上方に位置するように配置され、しかも水平方向に開口しているため、上側通気口２３から雨水や土等が入込むことが抑制される。
【００３１】
また、可動空気抜き部材５は、上下方向に移動可能に支持されており、雨が降っていない場合、または雨が降っていても冠水に至っていない場合（すなわち通常の使用状態）と、大雨等により上側通気口２３の高さよりも高い位置まで冠水する虞がある場合（すなわ非常時）とで使用態様を変えることが可能である。詳しく説明すると、通常の使用状態では、上側通気口２３の高さが低くても雨水が流入する虞がないため、可動空気抜き部材５を下限位置（図２（ａ）参照）に移動させることが好ましい。これによれば、可動空気抜き部材５の地表面Ａからの突出量が小さくなり、歩行者が可動空気抜き部材５に躓くことを極力防止することができる。特に、可動空気抜き部材５における張出部２１の上面は外側に向かって下り勾配に形成されているため、外周部分が一番低くなり、歩行者の安全性を一層高めることが可能になる。一方、上側通気口２３の高さよりも高い位置まで冠水する虞がある場合には、可動空気抜き部材５を上限位置（図２（ｂ）参照）に移動させることが好ましい。これによれば、上側通気口２３の位置が高くなり、上側通気口２３に雨水が流入する可能性が大幅に低くなる。なお、本例では、上側通気口２３の高さは、可動空気抜き部材５が下限位置の場合に５．５ｍｍとなり、上限位置の場合に１５．５ｍｍとなるように設定されている。つまり、地表面Ａから１５．５ｍｍの高さまで冠水しても、上側通気口２３に水が流入しないように構成されている。
【００３２】
このように、第一実施形態の掃除口用蓋１によれば、通常使用時には、可動空気抜き部材５の突出量を小さくし、歩行者の安全性を高めることができる。一方、非常時には、可動空気抜き部材５を引上げることにより、雨水の流入を極力防止することができる。
【００３３】
また、本例の掃除口用蓋１によれば、貫通孔１７と可動空気抜き部材５の軸部２０との間に、環状のパッキン６が介装されているため、軸部２０の摺動抵抗を高め、可動空気抜き部材５を任意の高さで保持することができる。特に、複雑な保持機構を備えることなく、可動空気抜き部材５を保持するため、安価に構成できるとともに、土の浸入等による故障の発生を抑制することが可能になる。また、パッキン６の摩擦力で可動空気抜き部材５を保持することから、例えば可動空気抜き部材５を上限位置で使用しているときに、歩行者によって踏まれることがあっても、可動空気抜き部材５を自然に下限位置へ移動させることができ、ひいては荷重による可動空気抜き部材５の破損や破壊を抑制することができる。
【００３４】
続いて、本発明の実施形態ではないが、第二実施形態の掃除口用蓋３０について、図３に基づき説明する。本例の掃除口用蓋３０は、第一実施形態の掃除口用蓋１と同様の構成を有しており、円筒状の蓋枠３１と、蓋枠３１に嵌込まれ中央に貫通孔３３が設けられた蓋本体３２と、貫通孔３３に挿入され接着されたスリーブ３４と、スリーブ３４に対して上下方向に摺動可能な可動空気抜き部材３５と、可動空気抜き部材３５の外周の水密性を高める環状のパッキン３６とを備えて構成されている。
【００３５】
ただし、可動空気抜き部材３５には、傘状の張出部が設けられておらず、その代わりに、軸部４３の径よりも僅かに大きな径のフランジ部４４が軸部４３の上端部分に形成されており、フランジ部４４の周面に一対の上側通気口４６が設けられている。なお、下側通気口４７、連通孔４８、及び下部ストッパー４５の構成は、第一実施形態の可動空気抜き部材５の場合と同様である。
【００３６】
一方、スリーブ３４は、略円筒状であるが、上端には鍔状に形成された掛止部３８が設けられており、貫通孔３３の上端に形成された受部３３ａに掛止されるようになっている。また、スリーブ３４の上部には、可動空気抜き部材３５の上面が蓋本体３２の上面の高さに一致するように、可動空気抜き部材３５のフランジ部４４を収容する凹部３９が形成されている。なお、フランジ部４４の直径と凹部３９の内径とは略一致する大きさとなっているが、上側通気口４６が形成されたフランジ部４４の周面部分のみは上下方向に切欠かれた形状となっており、上側通気口４６と凹部３９の内周面との間に、上側が開放された通気用の隙間４９が設けられている。
【００３７】
このように、第二実施形態の掃除口用蓋３０によれば、可動空気抜き部材３５が下限位置に移動した際（図３（ａ）参照）、可動空気抜き部材３５の上面の高さが蓋本体３２の上面の高さに一致するため、通常の使用時には、可動空気抜き部材３５を蓋本体３２から突出させることなく使用することができ、ひいては歩行者が可動空気抜き部材３５に躓くことを確実に防止することが可能になる。また、凹部３９の内周面と上側通気口４６との間には、通気用の隙間４９が設けられているため、フランジ部４４が凹部３９内に収容された状態でも、水平方向に開口した上側通気口４６を通して空気を流すことができる。一方、可動空気抜き部材３５を上限位置（図３（ｂ）参照）に移動した際には、上側通気口４６の位置が高くなり、上側通気口４６に雨水が流入する可能性を大幅に低くすることができる。
【００３８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３９】
すなわち、上記第一実施形態及び第二実施形態では、支持部材として環状のパッキン６，３６を備え、パッキン６，３６の摩擦抵抗に抗して、可動空気抜き部材５，３５を上下方向に摺動させるものを示したが、可動空気抜き部材の外周面に雄ネジを形成するとともに、スリーブの内周面に雌ネジを形成し、可動空気抜き部材をスリーブに螺合させることにより、上下方向に移動させるようにしてもよい。なお、この場合、雄ネジと雌ネジの組合せが本発明の支持部材に相当することになり、パッキン６を省略することが可能になる。
【００４０】
また、上記第一実施形態及び第二実施形態では、上側通気口２３，４６を夫々二つ設けるものを示したが、上側通気口２３，４６の数は特に限定されるものではなく、一つのみまたは三つ以上としてもよい。
【００４１】
また、上記第一実施形態では、可動空気抜き部材５における張出部２１の外径を蓋本体３の外径よりも小さくするものを示したが、蓋本体３の外径よりも大きく形成してもよい。これによれば、蓋本体３全体が張出部２１によって覆われ、スリーブ４と可動空気抜き部材５との間へ向かう雨水の流入を一層防止することができる。
【００４２】
また、上記第二実施形態では、可動空気抜き部材３５の上面を平面とするものを示したが、上面に凹部を形成し、その凹部内につまみを設けるようにしてもよい。これによれば、つまみを持って可動空気抜き部材３５を引き上げることが可能となり、操作が容易になる。なお、この場合、凹部内につまみを形成することから、つまみを地表面よりも突出させることなく形成することができる。
【００４３】
さらに、上記第一実施形態及び第二実施形態では、蓋本体３，３２にスリーブ４，３４を装着し、スリーブ４，３４の貫通孔１７に可動空気抜き部材５，３５を嵌挿させるものを示したが、スリーブを設けることなく、蓋本体３，３２の貫通孔１４，３３に可動空気抜き部材５，３５を直接嵌挿させるようにしてもよい。
【符号の説明】
【００４４】
１，３０  掃除口用蓋
２，３１  蓋枠
３，３２  蓋本体
５，３５  可動空気抜き部材
６，３６  パッキン（支持部材）
１４，１７，３３  貫通孔
１６  上面
２１  張出部
２３，４６  上側通気口
２４，４７  下側通気口
２５，４８  連通孔
３９  凹部
４４  フランジ部
４９  隙間
５１  排水管路
５６  掃除管
【先行技術文献】
【特許文献】
【００４５】
【特許文献１】特開平０９−３２８７９３号公報
【図１】
0005706659.tif 000002
【図２】
0005706659.tif 000003
【図３】
0005706659.tif 000004
【図４】
0005706659.tif 000005